(57)【特許請求の範囲】
【請求項１】
パネルの開口内に嵌め込み固定可能な電子機器ケースのパネル取付構造体であって、前記電子機器ケースのパネル取付構造体は、
電子機器ケースと、
前記電子機器ケースの上面及び下面を支持する上下側支持フレームと、
前記電子機器ケースの左右側面を支持する左右側支持フレームと、
前記上下側支持フレームに係止され、前記上下側支持フレームを前記パネルに固定する固定部材とから構成され、
前記上下側支持フレームは、前記電子機器ケースの横幅と同じ長さであって前記電子機器ケースの上下側縁を縁取る第一の縁取りフランジと、前記第一の縁取りフランジの両側から奥行き方向に延びる第一の取付脚部を備え
前記左右側支持フレームは、前記電子機器ケースの縦の長さに前記上下側支持フレームの前記第一の縁取りフランジの幅をそれぞれ加えた長さと同じ長さであって前記電子機器ケースの左右側縁を縁取る第二の縁取りフランジと、前記第二の縁取りフランジの長手方向両端側から奥行き方向に延びる第二の取付脚部を備えており
前記上下側支持フレームは、前記第一の取付脚部を前記電子機器ケースの上下面に係着固定させることにより、前記電子機器ケースの上下面に取り付け可能であり、
前記左右側支持フレームは、前記第二の取付脚部を前記上下側支持フレームに係着固定させることにより、前記電子機器ケースの左右面に取り付け可能であり、
前記上下側支持フレームと前記左右側支持フレームが取り付けられた前記電子機器ケースを正面から見たときに、前記電子機器ケースは前記第一の縁取りフランジと前記第二の縁取りフランジによりその周縁を額縁状に支持され、
前記電子機器ケースの前面は、前記第一の縁取りフランジと前記第二の縁取りフランジで構成される平面より突出していることを特徴とする電子機器ケースのパネル取付構造体。
【請求項２】
電子機器ケースを複数個連装したケース列をパネルの開口内に嵌め込み固定可能にする電子機器ケースのパネル取付構造体であって、前記電子機器ケースのパネル取付構造体は、
複数の電子機器ケースと、
前記電子機器ケースの上面及び下面を支持する上下側支持フレームと、
前記電子機器ケースの左右側面を支持する左右側支持フレームと、
前記上下側支持フレームに係止され、前記上下側支持フレームを前記パネルに固定する固定部材とから構成され、
前記上下側支持フレームは、前記電子機器ケースの横幅と同じ長さであって前記電子機器ケースの上下側縁を縁取る第一の縁取りフランジと、前記第一の縁取りフランジの両側から奥行き方向に延びる第一の取付脚部を備え
前記左右側支持フレームは、前記電子機器ケースの縦の長さに前記上下側支持フレームの前記第一の縁取りフランジの幅をそれぞれ加えた長さと同じ長さであって前記電子機器ケースの左右側縁を縁取る第二の縁取りフランジと、前記第二の縁取りフランジの長手方向両端側から奥行き方向に延びる第二の取付脚部を備えており
前記上下側支持フレームは、前記第一の取付脚部を前記電子機器ケースの上下面に係着固定させることにより、前記電子機器ケースの上下面に取り付け可能であり、
前記左右側支持フレームは、前記第二の取付脚部を前記上下側支持フレームに係着固定させることにより、前記電子機器ケースの左右面に取り付け可能であり、
前記ケース列を構成する電子機器ケースのそれぞれに前記上下側支持フレームが取り付けられ、前記ケース列を構成する各電子機器ケースを正面から見て最も左にある前記電子機器ケースの左面と最も右にある前記電子機器ケースの右面に前記左右側支持フレームが取り付けられた状態で前記ケース列を正面から見たときに、前記ケース列は前記第一の縁取りフランジと前記第二の縁取りフランジによりその周縁を額縁状に支持され、
前記ケース列の前面は、前記第一の縁取りフランジと前記第二の縁取りフランジで構成される平面より突出していることを特徴とする電子機器ケースのパネル取付構造体。
【請求項３】
前記上下側支持フレームは、上側支持フレームと下側支持フレームが同一形状に設定され、それぞれ対角状に対峙させて、前記電子機器ケースの上面及び下面に取り付け可能であるとともに、前記左右側支持フレームは、同一形状に設定された支持フレームが、それぞれ左右対称状に前記電子機器ケースの左右側面に取り付け可能であることを特徴とする請求項１又は２に記載の電子機器ケースのパネル取付構造体。
【請求項４】
前記上下側支持フレームに取り付けられる前記固定部材は、前記上下側支持フレームの各対角位置に設定されていることを特徴とする請求項１乃至３のいずれかに記載の電子機器ケースのパネル取付構造体。
【請求項５】
前記電子機器ケースの前面に蓋が取り付けられているときに、前記電子機器ケース又は前記ケース列の前記パネル取付後において前記蓋の操作が可能であるように、前記電子機器ケース又は前記ケース列の前面が、前記第一の縁取りフランジと前記第二の縁取りフランジで構成される平面より突出していることを特徴とする請求項１乃至４のいずれかに記載の電子機器ケースのパネル取付構造体。
【請求項６】
前記固定部材は、前記上下側支持フレームのそれぞれ対角位置の前記第一の取付脚部に係着される取付座と、前記取付座のナット部に螺装され、先端に締め付け片を設けたネジ付きロッドとから構成され、前記ネジ付きロッドを回転操作し、前記パネルの表裏面を前記上下側支持フレームの前記第一の縁取りフランジと、前記固定部材の前記締め付け片とで挟着することにより、前記上下側支持フレームをパネルに取り付け可能にする構造を有することを特徴とする請求項１乃至５のいずれかに記載の電子機器ケースのパネル取付構造体。
【請求項７】
前記上下側支持フレームは、前記第一の縁取りフランジの両側から奥行き方向に延びる前記第一の取付脚部が前記電子機器ケースの上面及び下面のそれぞれ４隅部において係止固定される構造を有することを特徴とする請求項１乃至６のいずれかに記載の電子機器ケースのパネル取付構造体。
【請求項８】
前記電子機器ケースの上下面に対する前記上下側支持フレームの取付構造及び／又は前記上下側支持フレームに対する前記左右側支持フレームの取付構造がスナップフィット式係止構造であることを特徴とする請求項１乃至７のいずれかに記載の電子機器ケースのパネル取付構造体。
【請求項９】
前記上下側支持フレーム並びに前記左右側支持フレームは、合成樹脂の射出成形体から構成されていることを特徴とする請求項１乃至８のいずれかに記載の電子機器ケースのパネル取付構造体。
【請求項１０】
前記電子機器ケースは、アンプ分離型センサのアンプユニットにおけるユニットケースであることを特徴とする請求項１乃至９のいずれかに記載の電子機器ケースのパネル取付構造体。
【請求項１１】
前記アンプ分離型センサは、光電センサ、変位センサ、近接センサ、超音波センサ等に適用されることを特徴とする請求項１０に記載の電子機器ケースのパネル取付構造体。
【発明の詳細な説明】
【技術分野】
【０００１】
この発明は、電子機器ケースのパネル取付構造に係り、特に、アンプ分離型センサにおけるアンプユニットの単一のユニットケースはもとより、複数のユニットケースを連装したケース列についても、ユーザーに負担を強いることなく、簡単かつ美麗にパネルに取り付けることを可能にした電子機器ケースのパネル取付構造に関する。
【背景技術】
【０００２】
例えば、工場のＦＡ等では、物体の有無や位置を検出するために、光電センサ、近接センサ、超音波センサ、変位センサ等の種々のセンサが使用されている。そして、物体の測定距離や、検知精度の面で、光電センサ、特に光ファイバ型光電センサが広く使用される傾向にある。
【０００３】
ところで、昨今この種の光電センサの中には、制御盤などへのコンパクトな収容を可能とするために、また狭小な計測環境への据え付けを容易とするために、センサヘッド部とアンプ部とを分離させてなる所謂アンプ分離型光電センサが存在する。
【０００４】
このようなアンプ分離型光電センサによれば、検出ヘッド部それ自体は検出対象物体の間近に配置する一方、アンプユニットについてはメンテナンスなどの容易なオペレータに身近な制御盤に組み込むことができ、しかもアンプユニットを隣接して密に配置できるため、収容スペースのコンパクト化が容易となる。加えて、センサヘッド部も小型に構成できるため、検出対象物間近の狭小な空間にも容易に組み込むことができるなどの様々な利点を有する（例えば、特許文献１参照。）。
【０００５】
上述したアンプ分離型光電センサでは、アンプユニットを１台、もしくは２台以上に亘り、ＤＩＮレール等を介して連装してなるアンプユニット列が制御盤内に配設されるが、アンプユニットの前面部に液晶表示部が設けられたり、開閉可能な操作カバーが設けられ、操作カバーを開放して測定条件等を変更することが行なわれることから、最近では、制御盤等の表面パネルに開口を開設し、この開口内にアンプユニットを嵌め込み式に固定するパネル取付構造がユーザー側から切望されている。
【０００６】
従来では、例えば、特許文献２に示すように、液晶表示器のような表示器をパネルに取り付けるために、パネルに形成された表示窓の窓縁部に装着する額縁状の取付枠で液晶表示器の本体ケースを支持するという構成のものは知られているが、例えば、アンプ分離型光電センサにおけるアンプユニット等のユニットケースを増設する場合においては、パネル取り付けを想定した専用の構造が知られていないため、ユーザー側で特別な取付機構を作製する必要がある。
【特許文献１】特開２００３−３３７９８８号公報
【特許文献２】特開平７−１３１３４号公報
【発明の開示】
【発明が解決しようとする課題】
【０００７】
このように、従来では、パネルの開口に対して単一の電子機器ケースをケースの周縁を支持する額縁状の取付枠を介してパネルに取り付けるという構造は知られているが、増設可能に連装してなるユニット列をパネルの開口に嵌め込み固定するには、ユーザー側で特別な取付機構を作製する必要があり、このため、工数、費用、完成度の点がユーザーに強いる負担が大きいのが実情である。
【０００８】
この発明は、上述の問題点に鑑みなされたもので、その目的とするところは、単一の電子機器ケースは、もとより、複数のユニットケースを連装してなるケース列においても、パネル取付専用の取付具を介することで、ユーザーに負担を強いることなく、簡単にパネルに取り付けることができ、しかも、ラフなパネルカット面を全て覆い隠すことができ、外観見栄えにおいても好ましい電子機器ケースのパネル取付構造を提供することにある。
【課題を解決するための手段】
【０００９】
本発明に係る電子機器ケースのパネル取付構造は、幅広の電子機器ケース、もしくは該電子機器ケースを連装したケース列を、取付具を介して、パネルの開口内に嵌め込み固定する電子機器ケースのパネル取付構造であって、前記取付具は、電子機器ケースの上面及び下面を支持する上下側支持フレームと、電子機器ケースの左右側面を支持する左右側支持フレームと、上下側支持フレームをパネルに固定する固定部材とから構成され、上下側支持フレームは、ケースの上下縁を縁取る縁取りフランジと、該フランジの両側から奥行き方向に延び、ケースの上下面に係着固定される取付脚部を備える一方、左右側支持フレームは、ケースの両側縁を縁取る縁取りフランジを備え、この左右側支持フレームは、上下側支持フレームの取付脚部に係着支持され、電子機器ケースの上下面及び左右側面に上下側支持フレーム、左右側支持フレームを取り付けて電子機器ケースの周縁を額縁状に支持した後、上下側支持フレームに係止した固定部材により、上下側支持フレームをパネルに固定することを特徴とする。
【００１０】
ここで、電子機器ケースは、パネルに取り付けられる電子機器の筺体であれば特に用途は限定しないが、連結機構を介して増設可能なアンプ分離型センサにおけるアンプユニットケースに好適である。また、アンプ分離型センサとしては、光電センサ、変位センサ、近接センサ、超音波センサ等が含まれる。
【００１１】
このような構成によれば、単一の電子機器ケースをパネルに取り付けるには、電子機器ケースの上下面に上下側支持フレームを取り付け、電子機器ケースの左右側面に左右側支持フレームをあてがい、左右側支持フレームを上下側支持フレームに支持させることで、単一の電子機器ケースの周縁を上下側支持フレームと左右側支持フレームで縁取ることができ、パネルに取り付ける際、パネル開口のカット面を上下側支持フレームの縁取りフランジ並びに左右側支持フレームの縁取りフランジにより隠すことでケース周縁の外観性能を高めることができる。更に、パネルの裏面側から上下側支持フレームに固定部材を係着して、上下側支持フレームと固定部材との協働作業により簡単にパネルへの取り付けが完了する。
【００１２】
更に、複数の電子機器ケースを連装状態でパネルに取り付けるには、各ケースの上下面に上下側支持フレームを係着した状態で各ケースを連装していき、両側に位置する電子機器ケースの外側面に左右側支持フレームをあてがい、この左右側支持フレームを上下側支持フレームに固定することで、連装状態にある電子機器ケース列の周囲を上下側支持フレームと左右側支持フレームとで額縁状に支持することができる。よって、パネルに取り付ければ、パネル開口のカット面を上下側支持フレームと左右側支持フレームとが覆うことにより、外観性能を高めることができる。そして、このように、周縁を上下側支持フレームと左右側支持フレームとで縁取りしたユニット列をパネルの開口内に収容した後、上下側支持フレームに固定部材を取り付け、固定部材の締め付け片をパネル裏面側から締め付けることで、簡単に電子機器ユニット列をパネル側に固定できる。
【００１３】
従って、電子機器ケースを任意に増設しても、対応する上下側支持フレームを組み込むことで、簡単かつ体裁良くパネル側に電子機器ケース列を取り付けることができる。
【００１４】
また、好ましい実施の形態においては、前記幅広の電子機器ケースの上下面に上下側支持フレームが一体化されていることを特徴とする。
【００１５】
この構成によれば、電子機器ケースの上下面に上下側支持フレームが一体化されているため、取付具としては、左右側支持フレームと固定部材だけで済むことから、部品点数を削減できるとともに、パネル取り付けにあたり、上下側支持フレームを電子機器ケースの上下面に係着固定する手間が省け、取付工数を低減できる。
【００１６】
また、好ましい実施の形態においては、前記上下側支持フレームは、上側支持フレームと下側支持フレームが同一形状に設定され、それぞれ対角状に対峙させて、電子機器ケースの上面及び下面に取り付けられるとともに、左右側支持フレームは、同一形状に設定された支持フレームが、それぞれ左右対称状に電子機器ケースの左右側面に取り付けられることを特徴とする。
【００１７】
この構成によれば、上下側、並びに左右側を共用化できるため、各支持フレームを成形する成形金型費用を低減でき、かつ、各支持フレームの管理も容易に行なえる。
【００１８】
更に好ましい実施の態様においては、前記上下側支持フレームに取り付けられる固定部材は、上下側支持フレームの各対角位置に設定されていることを特徴とする。
【００１９】
この構成によれば、電子機器ケースをパネルに固定する固定ポイントが上下２箇所で済み、少ない固定ポイントで確実な支持が可能であるとともに、特に、複数の電子機器ケースを連装した状態では、千鳥状に固定部材が配置され、効率の良い支持固定が可能となる。
【００２０】
また、好ましい実施の形態においては、前記電子機器ケースの前面下縁に回動式蓋が回動可能に取り付けられ、電子機器ケースのパネル取付後における回動式蓋の回動操作を許容するスペースが設けられていることを特徴とする。
【００２１】
この構成によれば、パネルの開口内に電子機器ケースを取り付けた後、電子機器ケースの前面に設けた回動式蓋を開閉操作しても、電子機器ケースには、下側支持フレームの縁取りフランジと回動式蓋のヒンジ部との間にスペースが設けられているため、回動式蓋の開閉操作時、回動式蓋が干渉することがなく、パネル取付後においても測定条件変更等の操作を任意に行なえる。
【００２２】
また、好ましい実施の形態においては、前記固定部材は、上下側支持フレームのそれぞれ対角位置の取付脚部に係着される取付座と、この取付座のナット部に螺装され、先端に締め付け片を設けたネジ付きロッドとから構成され、このネジ付きロッドを回転操作し、パネルの表裏面を上下側支持フレームの縁取りフランジと、固定部材の締め付け片とで挟着することにより、上下側支持フレームをパネルに取り付けることを特徴とする。
【００２３】
このような構成によれば、固定部材は、パネルの開口内に電子機器ケースを収容した後、上下側支持フレームに係着されるため、パネルの開口内に電子機器ケースを収容する作業に固定部材が障害とならず、パネルの開口内に電子機器ケースを簡単に位置決めできる。また、固定部材の取付座に保持されたネジ付きロッドを回転操作するだけで、締め付け片をパネルの裏面に対して自由に接離でき、取り付け、取り外し作業を簡単に行なえる。
【００２４】
更に、好ましい実施の形態においては、前記上下側支持フレームは、縁取りフランジの両側から奥行き方向に延びる取付脚部が電子機器ケースの上面及び下面のそれぞれ４隅部において係止固定されることを特徴とする。
【００２５】
このような構成によれば、電子機器ケースの上面及び下面に上下側支持フレームを密着状に確実かつ堅固に取り付けることができる。
【００２６】
また、好ましい実施の形態においては、前記電子機器ケースの上下面に対する上下側支持フレームの取付構造及び／又は上下側支持フレームに対する左右側支持フレームの取付構造がスナップフィット式係止構造であることを特徴とする。
【００２７】
このような構成によれば、電子機器ケースに対する上下側支持フレームの取り付け並びに上下側支持フレームに対する左右側支持フレームの取り付けは、ワンタッチで行なえることから、電子機器ケースの外側面を支持フレームにより額縁状に覆う支持フレームの取り付けを簡単かつ迅速に行なえる。
【００２８】
また、好ましい実施の形態においては、前記上下側支持フレーム並びに左右側支持フレームは、合成樹脂の射出成形体から構成されていることを特徴とする。
【００２９】
このような構成によれば、係止爪等を一体に成形できる。
【００３０】
次に好ましい実施の形態においては、幅狭で長尺状の電子機器ケース、もしくは該電子機器ケースを連装したケース列を、取付具を介して、パネルの開口内に嵌め込み固定する電子機器ケースのパネル取付構造であって、前記取付具は、電子機器ケースの上面及び下面を支持する上下側支持片と、電子機器ケースの左右側面を支持する左右側支持フレームと、上下側支持片をパネルに固定する固定部材とから構成され、上下側支持片は、ケースの上下縁を縁取る縁取り片と、この縁取り片から奥行き方向に延び、ケースの上下面に係着される取付脚部を備える一方、左右側支持フレームは、ケースの両側縁を縁取る縁取りフランジと、ケースの左右側面を支持するサポートプレートとを備え、この左右側支持フレームは、上下側支持片の取付脚部に係着支持され、電子機器ケースの上下面及び左右側面に上下側支持片、左右側支持フレームを取り付けてケースの周縁を額縁状に支持した後、上下側支持片に係止した固定部材により、上下側支持片をパネルに固定することを特徴とする。
【００３１】
このような構成によれば、単一の電子機器ケースをパネルに取り付けるには、電子機器ケースの上下面に上下側支持片を取り付け、電子機器ケースの左右側面に左右側支持フレームをあてがい、左右側支持フレームを上下側支持片に支持させることで、単一の電子機器ケースの周縁を上下側支持片と左右側支持フレームで縁取ることができ、パネルに取り付ける際、パネル開口のカット面を上下側支持片の縁取り片と左右側支持フレームの縁取りフランジにより隠すことでケース周縁の外観性能を高めることができる。そして、パネルの裏面側から上下側支持片に固定部材を係着して、上下側支持片と固定部材との協働作業により簡単にパネルへの取り付けが完了する。
【００３２】
更に、複数の電子機器ケースを連装状態でパネルに取り付けるには、各ケースの上下面に上下側支持片を係着した状態で各ケースを連装していき、両側に位置する電子機器ケースの外側面に左右側支持フレームをあてがい、この左右側支持フレームを上下側支持片に固定することで、連装状態にある電子機器ケース列の周囲を上下側支持片と左右側支持フレームとで額縁状に支持することができる。よって、パネルに取り付ければ、パネル開口のカット面を上下側支持片と左右側支持フレームとが覆うことにより、外観性能を高めることができる。そして、このように、周縁を上下側支持片と左右側支持フレームとで縁取りしたユニット列をパネルの開口内に収容した後、上下側支持片に固定部材を取り付け、固定部材の締め付け片をパネル裏面側から締め付けることで、簡単に電子機器ユニット列をパネル側に固定できる。
【００３３】
従って、電子機器ケースを任意に増設しても、対応する上下側支持片を組み込むことで、簡単かつ体裁良くパネル側に電子機器ケース列を取り付けることができる。
【００３４】
更に、好ましい実施の形態においては、前記長尺状の電子機器ケースの上下面に上下側支持片が一体化されていることを特徴とする。
【００３５】
この構成によれば、電子機器ケースの上下面に上下側支持片が一体化されているため、取付具としては、左右側支持フレームと固定部材だけで済むことから、部品点数を削減できるとともに、パネル取り付けにあたり、上下側支持片を電子機器ケースの上下面に係着固定する手間が省け、取付工数を低減できる。
【００３６】
更に、好ましい実施の形態においては、前記上下側支持片は、上側支持片と下側支持片が同一形状に設定され、電子機器ケースの上面及び下面に上下対称状に取り付けられるとともに、左右側支持フレームは、同一形状に設定された支持フレームが、それぞれ左右対称状に電子機器ケースの左右側面に取り付けられることを特徴とする。
【００３７】
この構成によれば、上下側並びに左右側を共用化できるため、各支持片、支持フレームを成形する成形金型費用を低減でき、かつ、各支持片、支持フレームの管理も容易に行なえる。
【００３８】
更に、好ましい実施の形態においては、前記固定部材は、上下側支持片の取付脚部に係着される取付座と、この取付座のナット部に螺装され、先端に締め付け片を設けたネジ付きロッドとから構成され、このネジ付きロッドを回転操作し、パネルの表裏面を上下側支持片の縁取り片と、固定部材の締め付け片とで挟着することにより、上下側支持片をパネルに取り付けることを特徴とする。
【００３９】
このような構成によれば、固定部材は、パネルの開口内に電子機器ケースを収容した後、上下側支持片に係着されるため、パネルの開口内に電子機器ケースを収容する作業に固定部材が障害とならず、パネルの開口内に電子機器ケースを簡単に位置決めできる。また、固定部材の取付座に保持されたネジ付きロッドを回転操作するだけで、締め付け片をパネルの裏面に対して自由に接離でき、取り付け、取り外し作業を簡単に行なえる。
【００４０】
更に、好ましい実施の形態においては、電子機器ケースの上下面に対する上下側支持片の取付構造及び／又は上下側支持片に対する左右側支持フレームの取付構造がスナップフィット式係止構造であることを特徴とする。
【００４１】
このような構成によれば、電子機器ケースに対する上下側支持片の取り付け並びに上下側支持片に対する左右側支持フレームの取り付けは、ワンタッチで行なえることから、電子機器ケースの外側面を支持フレームにより額縁状に覆う支持フレームの取り付けを簡単かつ迅速に行なえる。
【００４２】
更に、好ましい実施の形態においては、前記上下側支持片並びに左右側支持フレームは、合成樹脂の射出成形体から構成されていることを特徴とする。
【００４３】
このような構成によれば、係止爪等を一体に成形できる。
【発明の効果】
【００４４】
以上の説明から明らかなように、本発明によれば、電子機器ケースを任意増設した電子機器ケース列においても、ケース列の周縁に取付具を配し、固定部材によりパネルに簡単に固定できるものであるから、取付具によりパネルカット面を覆い、外観見栄えに優れるとともに、ユーザーに負担を強いることなく、簡単かつ迅速に電子機器ケース列をパネルに取り付けることができ、取付作業性に優れるという効果を有する。
【発明を実施するための最良の形態】
【００４５】
以下、本発明に係る電子機器ケースのパネル取付構造の好適な実施形態について、添付図面を参照しながら詳細に説明する。
【実施例１】
【００４６】
図１乃至図１４は本発明の第１実施例を示す。図１には、アンプ分離型変位センサにおけるアンプユニットを構成する幅広のユニットケース１０と、このユニットケース１０をパネル１の開口１ａに嵌め込み固定するための取付具が示されている。この取付具は、ユニットケース１０の上面１０ａと、下面１０ｂに取り付けられる上下側支持フレーム２０と、ユニットケース１０の左右側面１０ｃに取り付けられる左右側支持フレーム３０と、上下側支持フレーム２０に取り付けられ、上下側支持フレーム２０と、協働して、パネル１を挟着する固定部材４０とから構成されており、上下側支持フレーム２０の縁取りフランジ２１と左右側支持フレーム３０の縁取りフランジ３１により、パネル１の開口１ａ（カット面）を覆うことで良好な外観見栄えが得られる。
【００４７】
更に詳しくは、このユニットケース１０は、図２並びに図７に示すように、その前面１０ｄにセンサヘッド（図示せず）からの検知データ等を表示する液晶表示部として、第１表示部１１ａ、第２表示部１１ｂが設けられており、この前面１０ｄの下部側には、回動式蓋１２がヒンジ部１２ａを介して開閉可能に取り付けられている。特に、本実施例では、ユニットケース１０をパネル１に取り付けた後においても、回動式蓋１２のスムーズな開閉操作が行なえるように、ユニットケース１０における下面１０ｂの上縁に沿って肉抜き溝部１２ｂが形成されている。尚、ユニットケース１０の下面１０ｂに取り付けられる下側支持フレーム２０は、この肉抜き溝部１２ｂを回避した位置に取り付けられている。
【００４８】
更に、ユニットケース１０の左右側面１０ｃには、スライド式蓋１３が設けられ、図３に示すように、複数のユニットケース１０を連装する際にスライド式蓋１３をスライド操作して、ユニットケース１０内部のレセプタクル１３ａを外部に臨ませ、ユニットケース１０間に配置した介在具５０のプラグ５１をレセプタクル１３ａに差し込むことによりユニットケース１０間の接続を行なう。また、ユニットケース１０の下面１０ｂには、ユニットケース１０の制御基板とセンサヘッド部（共に図示せず）との間で信号の送受を行なうための電気コード１４が配設されている。
【００４９】
更に、ユニットケース１０の上面１０ａ及び下面１０ｂのそれぞれ４隅部には、上下側支持フレーム２０を係着するための係止孔１５が開設されている。また、ユニットケース１０の後面（背面）１０ｅには、クランパ１６を含むＤＩＮレール取付機構が付設されている。すなわち、図７に示すように、ユニットケース１０の後面（背面）１０ｅには、ＤＩＮレール装着溝部１７が形成されており、このＤＩＮレール装着溝部１７にＤＩＮレール２を装着する。実際には、クランパ１６を引っ張り、ＤＩＮレール装着溝部１７内にＤＩＮレール２を装着し、その後クランパ１６を戻せば、クランパ１６内部のバネ圧により、ＤＩＮレール２の両側フランジ２ａ（図５参照）に対して、ＤＩＮレール装着溝部１７のアンダーカット部１７ａとクランパ１６の動作で突出するロック片１７ｂとが抜け止めとして作用し、ユニットケース１０がＤＩＮレール２に取り付けられる。
【００５０】
次いで、取付具を構成する上下側支持フレーム２０、左右側支持フレーム３０、固定部材４０の具体的な構成について、図４を基に説明する。
【００５１】
本実施例においては、ユニットケース１０の上面１０ａ及び下面１０ｂにそれぞれ取り付けられる上下側支持フレーム２０は、同一形状のものを使用するが、図示するように、上下対角対称状に各々の取付姿勢が設定される。
【００５２】
この上下側支持フレーム２０は、図４並びに図９，図１０に示すように、縁取りフランジ２１と、縁取りフランジ２１の両側から奥行き方向に延びる取付脚部２２，２３とを一体化した合成樹脂の射出成形体から構成されている。そして、各取付脚部２２，２３の上下２箇所、合計４箇所にそれぞれユニットケース１０の上下面１０ａ，１０ｂの４隅部に形成されている係止孔１５に係着する係止爪２４，２５が一体化されているとともに、各取付脚部２２，２３には、左右側支持フレーム３０を係着するための係止孔２６が開設され、更に、一方側の取付脚部２２には、固定部材４０を係着するための係止孔２７が設けられている。
【００５３】
一方、左右側支持フレーム３０は、図４並びに図８に示すように、ユニットケース１０の左右側縁を縁取る、縁取りフランジ３１の長手方向両端側から奥行き方向に延びる取付脚部３２が一体化され、この取付脚部３２には、左右側支持フレーム３０を上下側支持フレーム２０に固定するため、上下側支持フレーム２０の係止孔２６に係着する係止爪３３が一体化されている。尚、ユニットケース１０の係止孔１５に係着する係止爪２４，２５及び上下側支持フレーム２０の係止孔２６に係着する左右側支持フレーム３０の係止爪３３は、それぞれ組付作業性を考慮して、スナップフィット式係止構造を採用するのが良い。
【００５４】
次に、上下側支持フレーム２０と固定部材４０との関係について図４を基に説明する。固定部材４０は、上下側支持フレーム２０の係止孔２７に係着されるフック４１を備えた略Ｌ字型の取付座４２と、取付座４２のナット部４３に螺装されるネジ付きロッド４４と、ネジ付きロッド４４の先端に取り付けられた締め付け片４５とから構成されている。
【００５５】
そして、上下側支持フレーム２０をパネル１に固定するには、フック４１を上下側支持フレーム２０の係止孔２７内に係止する。そうすれば、上下側支持フレーム２０の縁取りフランジ２１と取付座４２のプレート部４２ａとが所定間隔をおいて相互に平行状態に位置決めされる。そして、取付座４２のプレート部４２ａに回転可能に支持されているネジ付きロッド４４を回転操作し、締め付け片４５を上下側支持フレーム２０の縁取りフランジ２１裏面に近接させて、縁取りフランジ２１と締め付け片４５との間でパネル１を表裏側から締め付けるように固定すれば良い。
【００５６】
従って、単一のユニットケース１０をパネル１の開口１ａに取り付けるには、単一のユニットケース１０の上面１０ａ及び下面１０ｂに上下側支持フレーム２０を爪係合により取り付けるとともに、ユニットケース１０の左右側面１０ｃに左右側支持フレーム３０をそれぞれあてがい、支持フレーム２０の係止孔２６内に左右側支持フレーム３０の係止爪３３をスナップフィット式に係着することで、ユニットケース１０の上面１０ａ、下面１０ｂ、左右側面１０ｃを囲繞するように上下側支持フレーム２０、左右側支持フレーム３０を取り付ける。
【００５７】
そして、パネル１の開口１ａ内にユニットケース１０を嵌め込めば、パネル１の開口１ａのカット面を上下側支持フレーム２０の縁取りフランジ２１及び左右側支持フレーム３０の縁取りフランジ３１が覆い隠すことで、良好な外観見栄えが得られる。
【００５８】
また、上下側支持フレーム２０の係止孔２７に固定部材４０のフック４１を係止して、固定部材４０のネジ付きロッド４４を回転操作して、締め付け片４５でパネル１を締め付けることで取付具を使用したユニットケース１０のパネル１の取り付けが完了する。
【００５９】
ところで、本発明は、上述した取付具を介して単一のユニットケース１０をパネル１に取り付けることはもとより、特に、複数のユニットケース１０を連装したユニット列を簡単にパネル１に取り付けることができ、そのときのユーザー側の負担を軽減することを目的とする。
【００６０】
図５は、ユニットケース１０を３列（１０Ａ，１０Ｂ，１０Ｃ）連装し、ＤＩＮレール２に取り付けた状態を示すもので、ユニットケース１０Ａ，１０Ｂ，１０Ｃを制御盤内に格納された状態でＤＩＮレール２に取り付けることができる。このとき、各ユニットケース１０間の電気的接続は、上述したように、ユニットケース１０の左右側面１０ｃに設けられているスライド式蓋１３を開放操作して、レセプタクル１３ａを外部に臨ませ、図１１に示されている介在具５０のプラグ５１を対峙するレセプタクル１３ａに差し込むことで、隣接するユニットケース１０間の電気的接続がなされる。このように、複数のユニットケース１０Ａ，１０Ｂ，１０ＣをＤＩＮレール２に取り付けるには、各ユニットケース１０の後面（背面）１０ｅに配設されているＤＩＮレール取付機構により容易に実現される。
【００６１】
次いで、３列のユニットケース１０Ａ，１０Ｂ，１０Ｃをパネル１に取り付けるパネル取付構造について、図６を基に説明する。まず、１台目のユニットケース１０Ａの上下面１０ａ，１０ｂに対して上下側支持フレーム２０Ａを係着固定する。同様に、２台目及び３台目のユニットケース１０Ｂ，１０Ｃについても、それぞれその上下面１０ａ，１０ｂに上下側支持フレーム２０Ｂ，２０Ｃを係着固定するとともに、３台のユニットケース１０Ａ，１０Ｂ，１０Ｃについて介在具５０を介して電気的に接続する。
【００６２】
その後、中央のユニットケース１０Ｂを除いた両側のユニットケース１０Ａ，１０Ｃの左右側面１０ｃに左右側支持フレーム３０をあてがい、左右側支持フレーム３０の係止爪３３を上下側支持フレーム２０の係止孔２６内に係着することで、３台のユニットケース１０Ａ，１０Ｂ，１０Ｃは、三対の上下側支持フレーム２０Ａ，２０Ｂ，２０Ｃと一対の左右側支持フレーム３０により額縁状に縁取られ、この状態で各ユニットケース１０Ａ，１０Ｂ，１０Ｃの後面１０ｅをＤＩＮレール２にクランパ（図６では図示せず）の操作により装着支持するとともに、パネル１の開口１ａ内に各ユニットケース１０Ａ，１０Ｂ，１０Ｃの前面１０ｄ側が若干突出するように収容する。
【００６３】
このとき、パネル１における開口１ａのカット面は、上下側支持フレーム２０及び左右側支持フレーム３０により覆われることで、見栄えを良好に維持できる。次いで、上下側支持フレーム２０Ａ，２０Ｂ，２０Ｃにそれぞれ対応する固定部材４０Ａ，４０Ｂ，４０Ｃを係止し、ネジ付きロッド４４を回転操作し、パネル１の裏面側を締め付け片４５で締め付け、上下側支持フレーム２０Ａ，２０Ｂ，２０Ｃの縁取りフランジ２１と固定部材４０の締め付け片４５とでパネル１を固定部材４０Ａ，４０Ｂ，４０Ｃを使用した６箇所の取付ポイントで挟持することにより、３列のユニットケース１０Ａ，１０Ｂ，１０Ｃをパネル１に簡単に取り付けることができる。
【００６４】
このように、３列のユニットケース１０Ａ，１０Ｂ，１０Ｃを連装した状態でＤＩＮレール２に取り付けるＤＩＮレール取付構造に適用できることは勿論のこと、図６に示すように、３列のユニットケース１０Ａ，１０Ｂ，１０Ｃをパネル１に取り付ける形態についても、本発明に係る取付具、すなわち、上下側支持フレーム２０、左右側支持フレーム３０、固定部材４０を使用することで、簡単に適用でき、上述したように、上下側支持フレーム２０及び左右側支持フレーム３０の各縁取りフランジ２１，３１がユニットケース１０の周囲を覆うことにより、パネル１のカット面を隠し、パネル１に取り付けるユニットケース１０Ａ，１０Ｂ，１０Ｃの周縁見栄えが向上する。
【００６５】
また、取付具を介してパネル１に取り付けた状態では、上下側支持フレーム２０の前面１０ｄ側に回動式蓋１２の開閉操作スペースを確保する肉抜き溝部１２ｂが設けられているため、パネル１に取付具を介してユニットケース１０を取り付けた後でも、回動式蓋１２と上下側支持フレーム２０とが干渉することがなく、回動式蓋１２が円滑に開閉操作でき、測定条件の変更等を自由に行なえる。
【００６６】
［第１参考例］
次に、図１２乃至図１４は、第１参考例を示すもので、第１実施例におけるユニットケース１０と、上下側支持フレーム２０とを一体化した新たなユニットケース１００を使用している。この参考例においても、アンプ分離型変位センサにおけるアンプユニットを構成するユニットケース１００に適用されている。このユニットケース１００は、上下側に縁取りフランジ１０１，１０２が一体化され、かつ、この縁取りフランジ１０１，１０２の両側には、下方向に延在する取付脚部１０３，１０４が形成されており、この取付脚部１０３，１０４は、第１実施例における取付脚部２２，２３に相当する機能をもつ。尚、上下側支持フレーム２０を一体構造としたため、上述実施例におけるユニットケース１０の係止孔１５や、上下側支持フレーム２０に設けた係止爪２４，２５を廃止でき、ユニットケース１００の上下面側に設けられた取付脚部１０３，１０４にそれぞれ左右側支持フレーム３０及び固定部材４０を係着するための係止孔１０５，１０６が開設するという構成であるため、構造の簡素化を図ることができる。尚、左右側支持フレーム３０及び固定部材４０の構成については、実施例１と同一であるため、ここでは省略する。
【００６７】
従って、この参考例についても、ＤＩＮレール２に取り付けるＤＩＮレールの取付構造においては、図１３に示すように、各ユニットケース１００Ａ，１００Ｂ，１００Ｃを介在具５０を介して電気的に接続した状態で３台のユニットケース１００Ａ，１００Ｂ，１００Ｃを連装し、各ユニットケース１００Ａ，１００Ｂ，１００Ｃの後面１００ｅに設けられているＤＩＮレール取付機構を介してＤＩＮレール２に装着することで簡単にＤＩＮレール２にユニットケース１００Ａ，１００Ｂ，１００Ｃを連装状態で取り付けることができる。
【００６８】
更に、図１４に示すように、パネル１に取り付けるパネル取付構造においては、３台のユニットケース１００Ａ，１００Ｂ，１００Ｃを介在具５０を介して電気的に接続した状態で連装し、更に、両側のユニットケース１００Ａ，１００Ｃの左右側面１００ｃに左右側支持フレーム３０をあてがい、上下側各ユニットケース１００Ａ，１００Ｃの係止孔１０５に左右側支持フレーム３０の係止爪３３を係着することで、３台のユニットケース１００Ａ，１００Ｂ，１００Ｃの左右側面１００ｃに左右側支持フレーム３０を係着固定する。次いで、パネル１の開口１ａに嵌め込んだ後、各ユニットケース１００Ａ，１００Ｂ，１００Ｃに対応する固定部材４０Ａ，４０Ｂ，４０Ｃのネジ付きロッド４４を回転操作することで、各固定部材４０Ａ，４０Ｂ，４０Ｃの締め付け片４５によりパネル１の裏面側を締め付け、パネル１に対して各ユニットケース１００Ａ，１００Ｂ，１００Ｃの縁取りフランジ１０１，１０２とこの締め付け片４５とでパネル１を表裏面側から挟着固定することにより、複数のユニットケース１００Ａ，１００Ｂ，１００Ｃをパネル１に簡単に取り付けることができる。
【００６９】
［第２参考例］
図１５乃至図２０は、本発明の第２参考例を示す。この第２参考例では、アンプ分離型のファイバ型光電センサにおけるアンプユニットを構成するユニットケース２００に適用されている。このユニットケース２００は、幅狭で、かつ上下方向に長い長尺状の直方体形状である。
【００７０】
そして、このユニットケース２００においては、幅狭であるため、取付具は上下側支持片６０、左右側支持フレーム３０、固定部材４０とから構成される。すなわち、第１実施例で使用した上下側支持フレーム２０に替えて、ユニットケース２００の上下面２００ａ，２００ｂ側に係着固定される上下側支持片６０が使用される。この上下側支持片６０は、パネルのカット面を隠す縁取り片６１と、縁取り片６１と一体化される四角筒状の取付脚部６２とから構成され、この取付脚部６２の４側面には、ユニットケース２００の上下面２００ａ，２００ｂに開設されている係止孔２０１に係着する係止爪６３が突設形成されているとともに、左右側支持フレーム３０及び固定部材４０を係着するための係止孔６４，６５が開設されている。
【００７１】
一方、左右側支持フレーム３０は、縁取りフランジ３１の下面にユニットケース２００の左右側面２００ｃに広範囲で当接するサポートプレート３４が取付脚部３２に替えて形成され、このサポートプレート３４に上下側支持片６０の係止孔６４に係着する係止爪３３が形成されている。尚、上下側支持片６０の係止孔６５に取り付けられる固定部材４０の構成については第１実施例と同一であるので、ここでは省略する。
【００７２】
このユニットケース２００の後面２００ｅには、ＤＩＮレール２に装着するＤＩＮレール装着溝部２０２が形成され、更に、複数のユニットケース２００を電気的に接続するために、内部のレセプタクルを露出させるスライド式蓋２０３が設けられており、スライド式蓋２０３を開放操作して、内部のレセプタクルを外部に臨ませ、介在具５０を介してユニットケース２００間の電気的接続が行なわれる。
【００７３】
そして、この第２参考例においても、図１６に示すように、ＤＩＮレール２に取り付けるＤＩＮレール取付構造においては、各ユニットケース２００Ａ，２００Ｂ，２００Ｃを介在具５０を介して電気的接続を行ないつつ連装状態で各ユニットケース２００Ａ，２００Ｂ，２００ＣのＤＩＮレール装着溝部２０２をＤＩＮレール２に装着させ、図示しないＤＩＮレール取付機構を作用させることで、簡単にＤＩＮレール２に取り付けることができる。
【００７４】
そして、パネル１に取り付けるパネル取付構造においては、図１７に示すように、３台のユニットケース２００Ａ，２００Ｂ，２００Ｃのそれぞれ上下面に上下側支持片６０Ａ，６０Ｂ，６０Ｃを係着固定すると同時に各ユニットケース２００Ａ，２００Ｂ，２００Ｃを介在具５０を介して電気的接続を行ない、３台のユニットケース２００Ａ，２００Ｂ，２００Ｃを連装状態とし、かつ両側のユニットケース２００Ａ，２００Ｃの外側に左右側支持フレーム３０をあてがい、左右側支持フレーム３０の係止爪３３を上下側支持片６０Ａ，６０Ｃの係止孔６４内に係着することで、長尺状のユニットケース２００Ａ，２００Ｂ，２００Ｃの外側面を上下側支持片６０と、左右側支持フレーム３０とで額縁状に囲繞し、パネル１のカット面を隠すとともに、上下側支持片６０Ａ，６０Ｂ，６０Ｃに係着した固定部材４０Ａ，４０Ｂ，４０Ｃによりパネル１を挟み付け、確実にパネル１に固定することができる。
【００７５】
従って、ユニットケース２００の上下側に取り付ける上下側支持片６０と左右側支持フレーム３０及び固定部材４０とからなる取付具を使用することで、ユニットケース２００を連装状態でＤＩＮレール２、あるいはパネル１の双方の取付形態に適用でき、ユニットケース２００を適宜増設しても、この取付具を使用すれば、ユーザー側の負担が少なく、パネル１に対してユニットケース２００を増設状態で簡単にパネル１に取り付けることができる。
【００７６】
［第３参考例］
次いで、図１８乃至図２０は、第３参考例を示すもので、長尺状のユニットケース２００と、その上下側に位置する上下側支持片６０とを一体成形したユニットケース３００を使用することで構造が簡素化されている。
【００７７】
すなわち、このユニットケース３００の上下側には、それぞれパネル１のカット面を隠す縁取り片３０１，３０２が形成され、この縁取り片３０１，３０２の奥行き方向に延在するように取付脚部３０３，３０４が形成され、この取付脚部３０３，３０４には、左右側支持フレーム３０の係止爪３３を係着する係止孔３０５と固定部材４０のフック４１を係止する係止孔３０６が開設されている。尚、第２参考例と同様、ＤＩＮレール２に取り付けるためのＤＩＮレール装着溝部３０７及び内部のレセプタクルを露出するためのスライド式蓋３０８が設けられていることは第２参考例と同様である。
【００７８】
従って、上下側支持片一体型のユニットケース３００についても、図１９に示すように、ＤＩＮレール２に対してＤＩＮレール装着溝部３０７を装着し、ＤＩＮレール取付機構を作用させることで、３台のユニットケース３００Ａ，３００Ｂ，３００Ｃを各介在具５０を介して電気的に接続した連装状態で簡単に取り付けることができる。
【００７９】
また、図２０に示すように、３台のユニットケース３００Ａ，３００Ｂ，３００Ｃを連装状態でパネル１に取り付けるパネル取付構造においても、各ユニットケース３００Ａ，３００Ｂ，３００Ｃを介在具５０を介して電気的接続を行なって３台連装した状態で左右側支持フレーム３０で縁取りし、パネル１の開口１ａ内に取り付け、ＤＩＮレール２で相互の位置ズレを規制しつつ、パネル１の裏面側で各ユニットケース３００Ａ，３００Ｂ，３００Ｃに係着した固定部材４０Ａ，４０Ｂ，４０Ｃを操作して、パネル１の表裏面からユニットケース３００Ａ，３００Ｂ，３００Ｃの縁取り片３０１，３０２と各固定部材４０Ａ，４０Ｂ，４０Ｃの締め付け片４５とでパネル１を締め付け固定することで、連装状態のユニットケース３００Ａ，３００Ｂ，３００Ｃをパネル１に簡単に取り付けることができる。
【産業上の利用可能性】
【００８０】
上述した実施例１、及び参考例１〜３はそれぞれアンプ分離型の変位センサにおける幅広のアンプユニットを構成するユニットケース、並びにアンプ分離型の光電センサにおける幅狭のアンプユニットを構成するユニットケースにそれぞれ適用したが、電子機器の筺体であれば、その用途は問わない。
【図面の簡単な説明】
【００８１】
【図１】本発明構造（第１実施例）の全体構成を示す分解斜視図である。
【図２】本発明構造（第１実施例）を構成するユニットケースの斜視図である。
【図３】本発明構造（第１実施例）を構成するユニットケース同士の電気的接続部の詳細を示す斜視図である。
【図４】本発明構造（第１実施例）を構成する取付具の詳細を示す分解斜視図である。
【図５】本発明構造（第１実施例）を構成するユニットケース３台のＤＩＮレールを用いた連装状態を示す斜視図である。
【図６】本発明構造（第１実施例）を構成するユニットケース３台のパネル取付状態を示す斜視図である。
【図７】本発明構造（第１実施例）を構成するユニットケースの正透写図である。
【図８】本発明構造（第１実施例）を構成する取付具に含まれる左右側支持フレームの正透写図である。
【図９】本発明構造（第１実施例）を構成する取付具に含まれる上下側支持フレームの正透写図である。
【図１０】本発明構造（第１実施例）を構成する取付具に含まれる上下側支持フレームの正透写図である。
【図１１】本発明構造（第１実施例）を構成するユニットケース同士を電気的に接続するのに使用される介在具の正透写図である。
【図１２】本発明構造（第１参考例）の全体構成を示す分解斜視図である。
【図１３】本発明構造（第１参考例）を構成するユニットケース３台のＤＩＮレールを用いた連装状態を示す分解斜視図である。
【図１４】本発明構造（第１参考例）を構成するユニットケース３台のパネル取付状態を示す斜視図である。
【図１５】本発明構造（第２参考例）の全体構成を示す分解斜視図である。
【図１６】本発明構造（第２参考例）を構成するユニットケース３台のＤＩＮレールを用いた連装状態を示す斜視図である。
【図１７】本発明構造（第２参考例）を構成するユニットケース３台のパネル取付状態を示す斜視図である。
【図１８】本発明構造（第３参考例）の全体構成を示す分解斜視図である。
【図１９】本発明構造（第３参考例）を構成するユニットケース３台のＤＩＮレールを用いた連装状態を示す斜視図である。
【図２０】本発明構造（第３参考例）を構成するユニットケース３台のパネル取付状態を示す斜視図である。
【符号の説明】
【００８２】
１０  ユニットケース（幅広ケース）
１０ａ  上面
１０ｂ  下面
１０ｃ  左右側面
１０ｄ  前面
１０ｅ  背面（後面）
１１ａ，１１ｂ  表示部
１２  回動式蓋
１３  スライド式蓋
１３ａ  レセプタクル
１４  電気コード
１５  係止孔
１６  クランパ
１７  ＤＩＮレール装着溝部
２０  上下側支持フレーム
２１  縁取りフランジ
２２，２３  取付脚部
２４，２５  係止爪
２６，２７  係止孔
３０  左右側支持フレーム
３１  縁取りフランジ
３２  取付脚部
３３  係止爪
３４  サポートプレート
４０  固定部材
４１  フック
４２  取付座
４３  ナット部
４４  ネジ付きロッド
４５  締め付け片
５０  介在具
５１  プラグ
６０  上下側支持片
６１  縁取り片
６２  取付脚部
６３  係止爪
６４，６５  係止孔
１００  ユニットケース（縁取りフランジ一体型の幅広ケース）
１０１，１０２  縁取りフランジ
１０３，１０４  取付脚部
１０５，１０６  係止孔
２００  ユニットケース（幅狭ケース）
２０１  係止孔
３００  ユニットケース（縁取り片一体型の幅狭ケース）
３０１，３０２  縁取り片
３０３，３０４  取付脚部
３０５，３０６  係止孔
【図１】
0004735796.tif 000002
【図２】
0004735796.tif 000003
【図３】
0004735796.tif 000004
【図４】
0004735796.tif 000005
【図５】
0004735796.tif 000006
【図６】
0004735796.tif 000007
【図７】
0004735796.tif 000008
【図８】
0004735796.tif 000009
【図９】
0004735796.tif 000010
【図１０】
0004735796.tif 000011
【図１１】
0004735796.tif 000012
【図１２】
0004735796.tif 000013
【図１３】
0004735796.tif 000014
【図１４】
0004735796.tif 000015
【図１５】
0004735796.tif 000016
【図１６】
0004735796.tif 000017
【図１７】
0004735796.tif 000018
【図１８】
0004735796.tif 000019
【図１９】
0004735796.tif 000020
【図２０】
0004735796.tif 000021